【事件の表示】
　平成１０年特許願第５４１８７１号「ゴルフボール用の新規な２重コア」拒絶査定不服審判事件〔平成１０年１０月　８日国際公開、ＷＯ９８／４３７０９、平成１４年　４月　９日国内公表、特表２００２−５１０９９０〕について、次のとおり審決する。
【結　論】
　本件審判の請求は、成り立たない。
【理　由】
 第１　手続の経緯 
　本願は、１９９８年３月２７日（「パリ条約による第一優先権主張外国庁受理１９９７年３月２８日、米国」、「パリ条約による第二優先権主張外国庁受理１９９７年６月６日、米国」及び「パリ条約による第三優先権主張外国庁受理１９９７年９月１０日、米国」）を国際出願日とする出願であって、拒絶理由通知に応答して平成１９年１１月１３日付けで手続補正がされたが、平成１９年１２月２５日付けで拒絶査定がされ、これを不服として平成２０年４月７日付けで審判請求がされるとともに、平成２０年４月２２日付けで明細書についての手続補正（以下、「本件補正」という。）がされたものである。 
 　 
 第２　平成２０年４月２２日付け明細書についての手続補正についての補正却下の決定　
 　 
［補正却下の決定の結論］  
　平成２０年４月２２日付け明細書についての手続補正（以下、「本件補正」という。）を却下する。　
［理由］　  
 １．本件補正の内容 
　本件補正における特許請求の範囲についての補正は、　
 補正前（平成１９年１１月１３日付け手続補正書参照）に　
「１．中心構成要素、および該中心構成要素の周囲に配置されるコア層を備える中実2重コアと、
　該2重コア上に成形された内側カバー層であって、18.5重量％から21.5重量％のアルファ，ベー タ−不飽和カルボン酸のコポリマーを含む高酸性アイオノマー樹脂を含む内側カバー層と、
　該内側カバー層上に成形されたポリウレタン材料を含む外側カバー層を備える、ゴルフボール。
　２．内部球状中心構成要素、および該球状中心構成要素の周囲に配置されるコア層を備える、中実2重コア構成要素と、
　該2重コア構成要素の該コア層上に成形されて、球状中間ボールを形成する、内側カバー層であって、18.5重量％から21.5重量％のアルファ，ベー タ−不飽和カルボン酸のコポリマーを含むアイオノマー樹脂を含み、かつ、15,000psi（103.425MPa）から70,000psi(482.650MPa)の弾性率を有するアイオノマー樹脂を含む内側カバー層と、
　該球状中間ボール上に成形されて、多層ゴルフボールを形成する、外側カバー層であって、該外側層は、i)2個から8個の炭素原子を有するオレフィン及び3個から8個の炭素原子を有する不飽和モノカルボン酸のコポリマーのナトリウム塩または亜鉛塩と、ii)2個から8個の炭素原子を有するオレフィン、アクリル酸、および1個から21個の炭素原子を有するアクリレートエステル類の不飽和モノマーのターポリマーのナトリウム塩または亜鉛塩とのブレンドを含み、該外側カバー層は、1,000psi(6.895MPa)から30,000psi(20.685MPa)の範囲の弾性率を有する、外側カバー層とを備える、多層ゴルフボール。
　３．内部球状中心構成要素、および該内部球状中心構成要素の周囲に配置されたコア層を備える、球状中実2重コアと、
　該球状2重コア上に成形された内側カバー層であって、該内側カバー層は、18.5重量％から21.5重量％のアルファ,ベーター不飽和カルボン酸を含有し、かつ、15,000psi（103.425MPa）から70,000psi(482.650MPa)の弾性率を有するアイオノマー樹脂を含む、内側カバー層と、
　該球状中間ボールの上に成形されて、多層ゴルフボールを形成する、外側カバー層であって、該外側層は、i) 2個から8個の炭素原子を有するオレフィン及び3個から8個の炭素原子を有する不飽和モノカルボン酸のコポリマーのナトリウム塩または亜鉛塩と、ii)2個から8個の炭素原子を有するオレフィン、アクリル酸、および、1個から21個の炭素原子を有するアクリレートエステル類の不飽和モノマーのターポリマーの、ナトリウム塩または亜鉛塩とのブレンドを含み、該外側カバー層は、1,000psi(6.895MPa)から30,000psi(20.685MPaの範囲の弾性率を有する、外側カバー層と、
　該2重コアと該内側カバー層との間に配置される、少なくとも1つの外側コア層とを備え、前記外側コア層は熱可塑性材料を含む、多層ゴルフボール。」　
　とあったものを、 
「【請求項１】
　中心構成要素、および該中心構成要素の周囲に配置されるコア層を備え、該中心構成要素は溶融点が１４９°C以上の熱可塑性材料であり、該コア層はポリブタジエンから成る中実2重コアと、
　該2重コア上に成形された内側カバー層であって、18.5重量％から21.5重量％のアルファ，ベー タ−不飽和カルボン酸のコポリマーを含む高酸性アイオノマー樹脂を含み、ショアD硬度が６５以上である内側カバー層と、
　該内側カバー層上に成形されたポリウレタン材料を含み、ショアD硬度が５５以下である外側カバー層を備える、ゴルフボール。
　【請求項２】
　ポリブタジエンから成る内部球状中心構成要素、および該球状中心構成要素の周囲に配置され、ポリエーテルブロックアミドから成るコア層を備える、中実2重コア構成要素と、
　該2重コア構成要素の該コア層上に成形されて、球状中間ボールを形成する、内側カバー層であって、18.5重量％から21.5重量％のアルファ，ベー タ−不飽和カルボン酸のコポリマーを含むアイオノマー樹脂を含み、かつ、15,000psi（103.425MPa）から70,000psi(482.650MPa)の弾性率を有するアイオノマー樹脂を含み、ショアD硬度が６５以上である内側カバー層と、
　該球状中間ボール上に成形されて、多層ゴルフボールを形成する、外側カバー層であって、該外側層は、i)2個から8個の炭素原子を有するオレフィン及び3個から8個の炭素原子を有する不飽和モノカルボン酸のコポリマーのナトリウム塩または亜鉛塩と、ii)2個から8個の炭素原子を有するオレフィン、アクリル酸、および1個から21個の炭素原子を有するアクリレートエステル類の不飽和モノマーのターポリマーのナトリウム塩または亜鉛塩とのブレンドを含み、該外側カバー層は、1,000psi(6.895MPa)から30,000psi(20.685MPa)の範囲の弾性率を有し、ショアD硬度が５５以下の外側カバー層とを備える、多層ゴルフボール。
　【請求項３】内部球状中心構成要素、および該内部球状中心構成要素の周囲に配置されたコア層を備える、球状中実2重コアと、
　該球状2重コア上に成形され球状中間ボールを形成する内側カバー層であって、該内側カバー層は、18.5重量％から21.5重量％のアルファ,ベーター不飽和カルボン酸を含有し、かつ、15,000psi（103.425MPa）から70,000psi(482.650MPa)の弾性率を有するアイオノマー樹脂を含み、ショアD硬度が６５以上である内側カバー層と、
　該球状中間ボールの上に成形されて、多層ゴルフボールを形成する、外側カバー層であって、該外側層は、i) 2個から8個の炭素原子を有するオレフィン及び3個から8個の炭素原子を有する不飽和モノカルボン酸のコポリマーのナトリウム塩または亜鉛塩と、ii)2個から8個の炭素原子を有するオレフィン、アクリル酸、および、1個から21個の炭素原子を有するアクリレートエステル類の不飽和モノマーのターポリマーの、ナトリウム塩または亜鉛塩とのブレンドを含み、該外側カバー層は、1,000psi(6.895MPa)から30,000psi(20.685MPaの範囲の弾性率を有し、ショアD硬度が５５以下である外側カバー層と、
　該2重コアと該内側カバー層との間に配置される、少なくとも1つの外側コア層とを備え、前記外側コア層は熱可塑性材料を含む、多層ゴルフボール。」　
　と補正するものである。 
　
　つまり、本件補正は、特許請求の範囲についての以下の補正事項を含む。
　〈補正１〉補正前の請求項３における「該球状2重ニア上に」を「該球状2重コア上に」とする補正。 
　〈補正２〉補正前の請求項３における「上に成形された内側カバー層」を「上に成形され球状中間ボールを形成する内側カバー層」とする補正。　
　〈補正３〉補正前の請求項１における「中心構成要素、および該中心構成要素の周囲に配置されるコア層を備える中実2重コア」を「中心構成要素、および該中心構成要素の周囲に配置されるコア層を備え、該中心構成要素は溶融点が１４９°C以上の熱可塑性材料であり、該コア層はポリブタジエンから成る中実2重コア」とする補正。 
　〈補正４〉補正前の請求項１における「高酸性アイオノマー樹脂を含む内側カバー層」を「高酸性アイオノマー樹脂を含み、ショアD硬度が６５以上である内側カバー層」とする補正。 
　〈補正５〉補正前の請求項１における「ポリウレタン材料を含む外側カバー層」を「ポリウレタン材料を含み、ショアD硬度が５５以下である外側カバー層」とする補正。 
　〈補正６〉補正前の請求項２における「内部球状中心構成要素」を「ポリブタジエンから成る内部球状中心構成要素」とする補正。 
　〈補正７〉補正前の請求項２における「該球状中心構成要素の周囲に配置されるコア層」を「該球状中心構成要素の周囲に配置され、ポリエーテルブロックアミドから成るコア層」とする補正。 
　〈補正８〉補正前の請求項２における「アイオノマー樹脂を含む、内側カバー層」を「アイオノマー樹脂を含み、ショアD硬度が６５以上である内側カバー層」とする補正。 
　〈補正９〉補正前の請求項２における「外側カバー層は、1,000psi(6.895MPa)から30,000psi(20.685MPa)の範囲の弾性率を有する、外側カバー層」を「外側カバー層は、1,000psi(6.895MPa)から30,000psi(20.685MPa)の範囲の弾性率を有し、ショアD硬度が５５以下の外側カバー層」とする補正。 
　〈補正10〉補正前の請求項３における「15,000psi（103.425MPa）から70,000psi(482.650MPa)の弾性率を有するアイオノマー樹脂を含む、内側カバー層」を「15,000psi（103.425MPa）から70,000psi(482.650MPa)の弾性率を有するアイオノマー樹脂を含み、ショアD硬度が６５以上である内側カバー層」とする補正。
　〈補正11〉補正前の請求項３における「外側カバー層は、1,000psi(6.895MPa)から30,000psi(20.685MPa)の範囲の弾性率を有する、外側カバー層」を「外側カバー層は、1,000psi(6.895MPa)から30,000psi(20.685MPa)の範囲の弾性率を有し、ショアD硬度が５５以下である外側カバー層」とする補正。　
　
　２．本件補正の目的 　 
　〈補正１〉について 
 　補正１は、補正前の請求項３における「該球状2重ニア上に」を補正後の請求項３において「該球状2重コア上に」と補正するものであり、平成１８年改正前特許法第１７条の２第４項第３号に掲げる誤記の訂正を目的としたものと認める。　
　〈補正２〉について　
　補正２は、補正前の請求項３における「上に成形された内側カバー層」を明りょうにすべく、補正後の請求項３において「上に成形され球状中間ボールを形成する内側カバー層」と補正するものであり、一見平成１８年改正前特許法第１７条の２第４項第２号に掲げる特許請求の範囲の減縮を目的とするように見受けられる。　
　しかしながら、補正前の請求項３には、「該球状中間ボール上に成形されて、多層ゴルフボールを形成する」と記載されているにもかかわらず、それ以前の記載には「球状中間ボール」の記載がないものであるから、これを整合させるべく誤記の訂正を目的としたもので、平成１８年改正前特許法第１７条の２第４項第３号に掲げる誤記の訂正を目的としたものと認める。　
　〈補正３〉について　
　補正前の請求項１における「中心構成要素、および該中心構成要素の周囲に配置されるコア層を備える中実2重コア」について、「該中心構成要素は溶融点が１４９°C以上の熱可塑性材料であり、該コア層はポリブタジエンから成る」を追加するものであるが、この追加された「該中心構成要素は溶融点が１４９°C以上の熱可塑性材料であり、該コア層はポリブタジエンから成る」は、補正前の請求項１に記載された発明の特定事項、すなわち「中心構成要素」及び「コア層」それぞれを形成する材料をより具体的に特定するものであるから、補正３は補正前の請求項１に記載された発明の特定事項を限定するものといえる。
　よって補正３は、平成１８年改正前特許法第１７条の２第４項第２号に掲げる特許請求の範囲の減縮を目的としたものと認める。  
　〈補正４〉について　
　補正前の請求項１における「高酸性アイオノマー樹脂を含む内側カバー層」について、「ショアD硬度が６５以上である」を追加するものであるが、この追加された「ショアD硬度が６５以上である」は、補正前の請求項１に記載された発明の特定事項、すなわち「高酸性アイオノマー樹脂を含む内側カバー」のショアD硬度が６５以上であることを特定するものであるから、補正４は補正前の請求項１に記載された発明の特定事項を限定するものといえる。　
　よって補正４は、平成１８年改正前特許法第１７条の２第４項第２号に掲げる特許請求の範囲の減縮を目的としたものと認める。  
　〈補正５〉について　
　補正前の請求項１における「ポリウレタン材料を含む外側カバー層」について、「ショアD硬度が５５以下である」を追加するものであるが、この追加された「ショアD硬度が５５以下である」は、補正前の請求項１に記載された発明の特定事項、すなわち「ポリウレタン材料を含む外側カバー層」のショアD硬度が５５以下であることを特定するものであるから、補正５は補正前の請求項１に記載された発明の特定事項を限定するものといえる。　
　よって補正５は、平成１８年改正前特許法第１７条の２第４項第２号に掲げる特許請求の範囲の減縮を目的としたものと認める。
　〈補正６〉について　
　補正前の請求項２における「内部球状中心構成要素」について、「ポリブタジエンから成る」を追加するものであるが、この追加された「ポリブタジエンから成る」は、補正前の請求項２に記載された発明の特定事項、すなわち「内部球状中心構成要素」を形成する具体的材料を特定するものであるから、補正６は補正前の請求項２に記載された発明の特定事項を限定するものといえる。
　よって補正６は、平成１８年改正前特許法第１７条の２第４項第２号に掲げる特許請求の範囲の減縮を目的としたものと認める。　
　〈補正７〉について　
　補正前の請求項２における「該球状中心構成要素の周囲に配置されるコア層」について、「ポリエーテルブロックアミドから成る」を追加するものであるが、この追加された「ポリエーテルブロックアミドから成る」は、補正前の請求項２に記載された発明の特定事項、すなわち「該球状中心構成要素の周囲に配置されるコア層」を形成する具体的材料を特定するものであるから、補正７は補正前の請求項２に記載された発明の特定事項を限定するものといえる。
　よって補正７は、平成１８年改正前特許法第１７条の２第４項第２号に掲げる特許請求の範囲の減縮を目的としたものと認める。
　〈補正８〉について　
　補正前の請求項２における「高酸性アイオノマー樹脂を含む内側カバー層」について、「ショアD硬度が６５以上である」を追加するものであるが、この追加された「ショアD硬度が６５以上である」は、補正前の請求項２に記載された発明の特定事項、すなわち「高酸性アイオノマー樹脂を含む内側カバー」のショアD硬度が６５以上であることを特定するものであるから、補正８は補正前の請求項２に記載された発明の特定事項を限定するものといえる。
　よって補正８は、平成１８年改正前特許法第１７条の２第４項第２号に掲げる特許請求の範囲の減縮を目的としたものと認める。
　〈補正９〉について　
　補正前の請求項２における「外側カバー層は、1,000psi(6.895MPa)から30,000psi(20.685MPa)の範囲の弾性率を有する、外側カバー層」について、「ショアD硬度が５５以下である」を追加するものであるが、この追加された「ショアD硬度が５５以下である」は、補正前の請求項２に記載された発明の特定事項、すなわち「1,000psi(6.895MPa)から30,000psi(20.685MPa)の範囲の弾性率を有する、外側カバー層」のショアD硬度が５５以下であることを特定するものであるから、補正９は補正前の請求項２に記載された発明の特定事項を限定するものといえる。　
　よって補正９は、平成１８年改正前特許法第１７条の２第４項第２号に掲げる特許請求の範囲の減縮を目的としたものと認める。
　〈補正10〉について　
　補正前の請求項３における「15,000psi（103.425MPa）から70,000psi(482.650MPa)の弾性率を有するアイオノマー樹脂を含む、内側カバー層」について、「ショアD硬度が６５以上である」を追加するものであるが、この追加された「ショアD硬度が６５以上である」は、補正前の請求項３に記載された発明の特定事項、すなわち「5,000psi（103.425MPa）から70,000psi(482.650MPa)の弾性率を有するアイオノマー樹脂を含む、内側カバー層」のショアD硬度が６５以上であることを特定するものであるから、補正１０は補正前の請求項３に記載された発明の特定事項を限定するものといえる。
　よって補正10は、平成１８年改正前特許法第１７条の２第４項第２号に掲げる特許請求の範囲の減縮を目的としたものと認める。
　〈補正11〉について　
　補正前の請求項３における「1,000psi(6.895MPa)から30,000psi(20.685MPa)の範囲の弾性率を有する、外側カバー層」について、「ショアD硬度が５５以下である」を追加するものであるが、この追加された「ショアD硬度が５５以下である」は、補正前の請求項３に記載された発明の特定事項、すなわち「1,000psi(6.895MPa)から30,000psi(20.685MPa)の範囲の弾性率を有する、外側カバー層」のショアD硬度が５５以下であることを特定するものであるから、補正11は補正前の請求項３に記載された発明の特定事項を限定するものといえる。　
　よって補正11は、平成１８年改正前特許法第１７条の２第４項第２号に掲げる特許請求の範囲の減縮を目的としたものと認める。　
　
　すると、上記補正１乃至補正11を含む本件補正は、平成１８年改正前特許法第１７条の２第４項に規定する要件を満たしているといえる。　
　
 ３．独立特許要件について  
　以上のとおり、本件補正は平成１８年改正前特許法第１７条の２第４項に規定する要件を満たしており、同条第４項第２号に掲げる特許請求の範囲の減縮を目的としたものと認めることができる補正を含んでいるので、同法第１７条の２第５項において準用する同法第１２６条第５項に規定する要件を満たすか否かについて検討する。　
　
　（３−１）本願補正発明の認定  
　本件補正後の請求項２に係る発明（以下、「本願補正発明」という。）は、本件補正により補正された特許請求の範囲【請求項２】に記載された次のとおりのものと認める。　
　「ポリブタジエンから成る内部球状中心構成要素、および該球状中心構成要素の周囲に配置され、ポリエーテルブロックアミドから成るコア層を備える、中実2重コア構成要素と、　
　該2重コア構成要素の該コア層上に成形されて、球状中間ボールを形成する、内側カバー層であって、18.5重量％から21.5重量％のアルファ，ベー タ−不飽和カルボン酸のコポリマーを含むアイオノマー樹脂を含み、かつ、15,000psi（103.425MPa）から70,000psi(482.650MPa)の弾性率を有するアイオノマー樹脂を含み、ショアD硬度が６５以上である内側カバー層と、　
　該球状中間ボール上に成形されて、多層ゴルフボールを形成する、外側カバー層であって、
該外側層
　前記記載中における「
該外側層
該外側カバー層
　
　（３−２）引用例  
　本願のパリ条約による第一優先権主張外国庁受理日前に頒布された刊行物であって、原査定の拒絶の理由に引用された特開平６−３４３７１８号公報（以下、「引用例１」という。）には、以下の〈あ〉乃至〈す〉の記載が図示とともにある。  
〈あ〉「【特許請求の範囲】
【請求項１】（イ）球心と、
（ロ）少くとも１６重量％のα，β−不飽和カルボン酸を含む高酸イオノマーを含んで成り、前記球心上に成形された内側カバー層と、　
（ハ）低曲げ率のアイオノマー樹脂と非イオノマーの熱可塑性エラストマーとから成る群から選んだ比較的軟らかいポリマー材料を含んで成り、前記内側カバー層上に成形された外側カバー層と、を含んで成るゴルフボール。　
【請求項２】内側カバー層が約１７〜２５％のα，β−不飽和カルボン酸の共重合体を含む高酸アイオノマー樹脂を含んで成る、請求項１に記載のゴルフボール。　
【請求項３】内側カバー層が約１８．５〜２１．５重量％のα，β−不飽和カルボン酸の共重合体を含む高酸アイオノマー樹脂を含んで成る、請求項１に記載のゴルフボール。・・・・・
・・・・・・・・・・・　
【請求項１２】（イ）球形球心と、　
（ロ）少くとも１６重量％のα，β−不飽和カルボン酸を含み、そして約１５，０００〜７０，０００ｐｓｉのモジュラスを持つ、前記球形球心上に成形されている内側カバー層と、　
（ハ）（ｉ）炭素原子２〜８個を持つオレフィンと炭素原子３〜８個を持つ不飽和モノカルボン酸との共重合体のナトリウム塩または亜鉛塩と、（ｉｉ）炭素原子２〜８個を持つオレフィンとアクリル酸と炭素原子１〜２１個を持つアクリル酸エステル類の不飽和モノマーとのターポリマーのナトリウム塩または亜鉛塩との混合物を包含する、前記球形中間製品球上に成形され多重層ゴルフボールを形成する外側カバー層と、を包含し、その外側カバー層が約１，０００〜３０，０００ｐｓｉの範囲のモジュラスを持つ多重層ゴルフボール。　
【請求項１３】（イ）球形球心と、　
（ロ）約１７〜２５重量％のα，β−不飽和カルボン酸を含むアイオノマー樹脂を包含し、約１５，０００〜７０，０００ｐｓｉのモジュラスを持ち、前記球形球心上に成形されて球形中間製品球を形成する内側カバー層と、　
（ハ）ポリエステルエラストマーとポリエステルポリウレタンとポリエステルアミドとから成る群から選んだ非イオノマー熱可塑性樹脂を包含し、約１，０００〜３０，０００ｐｓｉの範囲のモジュラスを持つ、前記球形中間製品球上に成形されて多重層ゴルフボールを形成する外側カバー層と、を包含する多重層ゴルフボール。」　
　〈い〉「【００２３】　
【詳細な説明】本発明は改良された多重層ゴルフボール、特に固体球心１０上の多重層カバー１２を包含するゴルフボールとそれを製造する方法とに関する。　
【００２４】多重層カバー１２は２つの層、第１、即ち内側層１４と第２、即ち外側層１６とを包含する。内側層１４は高酸（即ち酸１６ｗｔ％以上）アイオノマー樹脂または高酸イオノマー混合物より成る。好ましくは内側層は異なった金属カチオンにより種々な程度にまで中和された２つまたはそれ以上の高酸（即ち酸少くとも１６ｗｔ％）アイオノマー樹脂の混合物より成る。その内側カバー層はステアリン酸金属塩（例えばステアリン酸亜鉛）または他の脂肪酸金属塩を含んでいても含んでいなくてもよい。ステアリン酸金属塩または他の脂肪酸金属塩の目的は仕上りゴルフボールの総合的性能に影響することなく製造費用を低下することにある。・・・・
【００２６】主題発明の内側層を作るのに用いるのに適当であつてもよい高酸イオノマーは炭素原子約２〜８個をもつオレフィンと炭素原子約３〜８個をもつ不飽和モノカルボン酸との反応生成物の金属、即ちナトリウム、亜鉛、マグネシウムなどの塩であるイオン性共重合体である。好ましくはアイオノマー樹脂はエチレンとアクリル酸またはメタアクリル酸の共重合体である。ある条件においては、追加的コモノマー例えばアクリル酸エステル（即ち、アクリル酸ｉｓｏ−ブチルまたはｎ−ブチルなど）も含まれていて、より軟らかいターポリマーをつくることができる。共重合体のカルボン酸基は金属イオンにより部分的に（即ち約１０〜７５％，好ましくは３０〜７０％）中和されている。本発明の内側層カバーに含まれていてもよい各高酸アイオノマー樹脂はカルボン酸を約１６ｗｔ％以上、好ましくは約１７〜２５ｗｔ％，より好ましくは約１８．５〜２１．５ｗｔ％含有している。・・・・
【００２７】内側層カバー組成物は好ましくは高酸アイオノマー樹脂を含み、本特許の範囲は前記のパラメーター内にある全ての既知高酸アイオノマー樹脂を含むが、これら高酸アイオノマー樹脂の比較的限定された数のものだけが最近市場で入手できるだけであつた。
【００２８】商品名“ＥｓｃｏｒTM”及び（又は）“Ｉｏｔｅｋ”の下にＥｘｘｏｎから入手できる高酸アイオノマー樹脂は商標“ＳｕｒｌｙｎTM”の下に入手できる高酸アイオノマー樹脂と幾らか似ている。しかし、ＥｓｃｏｒTM／Ｉｏｔｅｋアイオノマー樹脂はポリ（エチレン−アクリル酸）のナトリウム塩または亜鉛塩であり“ＳｕｒｌｙｎTM”はポリ（エチレン−メタアクリル酸）の亜鉛塩、ナトリウム塩、マグネシウム塩などであるから、性質に明確な差異が存在する。
【００２９】本発明に従っての使用が適当であることが見出された高級メタアクリル酸ベースのイオノマーの例にはＳｕｒｌｙｎTMＡＤ−８４２２（ナトリウムカチオン）、ＳｕｒｌｙｎTM８１６２（亜鉛カチオン）、ＳｕｒｌｙｎTMＳＥＰ−５０３−１（亜鉛カチオン）およびＳｕｒｌｙｎTMＳＥＰ−５０３−２（マグネシウムカチオン）が含まれる。ＤｕＰｏｎｔに従えばこれらのイオノマーの全てがメタアクリル酸約１８．５〜２１．５ｗｔ％を含有する。・・・
【００３８】更に、幾つかの異なった型の金属カチオン例えばマグネシウムカチオンとリチウムカチオンとカリウムカチオンとカルシウムカチオンとニッケルカチオンにより種々な程度に中和されている数多くの新規の高酸イオノマーの、本発明者による開発の結果、ナトリウム、亜鉛およびマグネシウム高酸イオノマーまたはイオノマー混合物のほかに幾つかの新規の高酸イオノマーおよび／または高酸イオノマー混合物が現在ゴルフボールカバー製造のために入手できる。これら新規のカチオン中和高酸イオノマー混合物は加工の間に起る相乗作用のため増大した硬度と弾性とを示す内側カバー層組成物をつくり出すことが発見された。その結果、最近製造される金属カチオン中和高酸アイオノマー樹脂を混合して、現在商業的に入手できる低酸イオノマー内側カバー組成物よりも高いＣ．Ｏ．Ｓ．を持つ多重層ゴルフボール用の実質的により硬い内側カバー層をつくることができる。
【００３９】より特別には、幾つかの新規の金属カチオン中和高酸アイオノマー樹脂が本発明者により、α−オレフィンとα，β−不飽和カルボン酸との高酸共重合体を広範囲の異なる金属カチオン塩で、種々な程度に中和することにより製造された。この発見はここに文献で組入れられている米国特許出願番号第９０１，６８０号の主題事項である。数多くの新規の金属カチオン中和高酸アイオノマー樹脂が高酸共重合体（即ち、酸を１６ｗｔ％以上、好ましくは約１７〜２５％、更に好ましくは約２０ｗｔ％を含有する共重合体）を、その共重合体を、所望の程度（即ち、約１０〜９０％）にイオン化または中和することができる金属カチオン塩と反応させることにより得られることが見出された。　
【００４０】基材共重合体は１６ｗｔ％より多いα，β−不飽和カルボン酸とα−オレフィンとからつくられる。場合によつては、柔軟化コポリマーを共重合体中に含めることができる。一般に、α−オレフィンは炭素原子２〜１０個を持ち、好ましくはエチレンであり、不飽和カルボン酸は炭素原子３〜８個をもつカルボン酸である。そのような酸の例にはアクリル酸とメタアクリル酸とエタアクリル酸とクロロアクリル酸とクロトン酸とマレイン酸とフマル酸とイタコン酸とが含まれ、アクリル酸が好ましい。
【００４１】本発明中に、場合によつては含むことができる。柔軟化コポリマーは、炭素原子２〜１０個を持つ脂肪族カルボン酸のビニルエステルと、アルキル基が炭素原子１〜１０個を含有するビニルエーテルとアルキル基が炭素原子１〜１０個を含有するアルキルアクリラートまたはメタアクリラートとから成る群から選択してもよい。適当な柔軟化コポリマーには酢酸ビニル、アクリル酸メチル、メタアクリル酸メチル、アクリル酸エチル、メタアクリル酸エチル、アクリル酸ブチル、メタアクリル酸ブチルなどが含まれる。　
【００４２】その結果、本発明に包含される高酸イオノマーの製造に用いられるのに適当な数多くの共重合体の例にはエチレン／アクリル酸共重合体、エチレン／メタアクリル酸共重合体、エチレン／イタコン酸共重合体、エチレン／マレイン酸共重合体、エチレン／メタアクリル酸／酢酸ビニル共重合体、エチレン／アクリル酸／ビニルアルコール共重合体などの高酸具体物が、これらに限定されないが、含まれる。基材共重合体は概括的には不飽和カルボン酸１６ｗｔ％以上とエチレン約３０〜８３ｗｔ％と柔軟化コポリマー０〜約４０ｗｔ％とを含有する。好ましくは共重合体は不飽和カルボン酸約２０ｗｔ％とエチレン約８０ｗｔ％とを含有する。最も好ましくは、アクリル酸約２０％を含有し、残りはエチレンである。」
　〈う〉「【００５７】好ましくは、外側層は硬いおよび軟らかい（低酸）アイオノマー樹脂例えば共にここで文献に組入れられている米国特許第４，８８４，８１４号および第５，１２０，７９１号に記載されているものの混合物を含む。特別には外側層を成形するのに用いられる望ましい材料は基材イオノマー混合物を形成するため高モジュラス（硬）イオノマーと低モジュラス（軟）イオノマーとの混合物を含んでいる。ここでの高モジュラスイオノマーとはＡＳＴＭ法Ｄ−７９０に従って測定して約１５，０００〜７０，０００ｐｓｉであるものである。硬度はＡＳＴＭ法Ｄ−２２４０に従って測定してショア−Ｄ尺度で少くとも５０と定義されてもよい。
【００５８】外側層混合物中での使用に適当な低モジュラスイオノマーはショア−Ｄ尺度で硬度約２０〜４０と共に、約１，０００〜１０，０００ｐｓｉの曲げ率を持っている。
【００５９】外側カバー層組成物硬／軟混合物を製造するのに用いられる硬いアイオノマー樹脂は炭素原子２〜８個を持つオレフィンと炭素原子３〜８個を持つ不飽和モノカルボン酸との反応生成物のナトリウム塩、亜鉛塩、マグネシウム塩またはリチウム塩であるイオン性共重合体を含む。その共重合体のカルボン酸基は全部または部分的に（即ち、約１５〜７５％）中和されていてもよい。・・・・
【００６６】軟らかいイオノマーは比較的に、外側カバー組成物の硬／軟混合物を処方するのに用いられる。これらのイオノマーにはアクリル酸ベースの軟らかいイオノマーが含まれる。それらは一般に、炭素原子２〜８個をもつオレフインとアクリル酸と炭素原子１〜２１個をもつアクリル酸エステル類の不飽和モノマーとのターポリマーのナトリウム塩または亜鉛塩を包含することで特徴づけられる。その軟らかいイオノマーは、好ましくは、アクリル酸エステル類の不飽和モノマー中のアクリル酸ベースポリマーからつくられた亜鉛ベースのイオノマーである。軟（低モジュラス）イオノマーはショアーＤ尺度で測って硬度約２０〜４０と、ＡＳＴＭ法Ｄ−７９０に従って測って曲げ率約１，０００〜１０，０００をもつ。」
　〈え〉「【００８０】本発明に従うゴルフボールの調製においては、硬い内側カバー層が球心（好ましくは固体球心）のまわりに成形（押出し成形または圧縮成形により）される。比較的軟らかい外側層はその内側層の上に成形される。」
　〈お〉「【００８１】在来の固体球心は、その直径が約１．４９５〜１．５７５ｉｎの範囲であることが出来るが、約１．５４５ｉｎである。在来の固体球心は、典型的には、高いｃｉｓ含有量のポリブタジエンとα，β−エチレン性不飽和カルボン酸の金属塩、例えばモノ−またはジ−アクリルまたはメタアクリル酸亜鉛とを含む未硬化または僅かに硬化されたエラストマー組成物のスラッグ（Ｓｌｕｇ）から圧縮成形される。球心においてより高い反発係数を得るため、製造業者は充填材例えば少量の金属酸化物例えば酸化亜鉛を含めてもよい。加うるに、所望の係数を達成するのに必要な量より多量の金属酸化物を、仕上げたボ−ルがＵ．Ｓ．Ｇ．Ａ．の重量上限１．６２０オンスにより近づけるように球心重量を増加させるために、在来の球心中にしばしば包含させる。他の材料を、相溶性のあるゴムまたはイオノマーおよび低分子量脂肪酸例えばステアリン酸を含む球心組成物中に用いてもよい。熱と圧力との適用に際して、複雑な硬化橋かけ反応が起るように、遊離基開始剤例えば過酸化物を球心組成物に混合する。　
【００８２】球心上に成形される内側カバー層は厚さ約０．１００〜０．０１０ｉｎ、好ましくは約０．０３７５ｉｎである。外側カバー層は厚さ約０．０１０〜０．０５０ｉｎ、好ましくは約０．０３００ｉｎである。球心と内側カバー層と外側カバー層とが一緒に組合わせて全米ゴルフ協会規則により許されている最小直径１．６８０ｉｎまたはそれ以上の直径を持ち、重量が約１．６２０オンスであるボールを形成する。　
【００８５】本発明のゴルフボールはゴルフボール技術で現在周知の成形法で製造できる。特にゴルフボールは糸巻きまたは固体成形球心のまわりに内側カバー層を射出成形または圧縮成形し、直径１．５０〜１．６７ｉｎ、好ましくは約１．６２０ｉｎを持つ中間ゴルフボールを製造することができる。続いて、外側層をその内側層上に成形して、直径１．６８０ｉｎまたはそれ以上をもつゴルフボールを製造する。本発明においては固体球心または糸巻き球心何れでも用いることができるが、より低い原価と優れた性能との結果として、固体成形球が糸巻き球心より好ましい。　
【００８６】圧縮成形においては、内側カバー組成物を、所望の内側カバーの厚さをもつ金型の中の球心のまわりにある、滑らかな表面の半球殻に、約３８０〜４５０°Ｆで射出して形成し、一体の中間ボールを形成するようその殻を一緒に溶融するため、２００〜３００°Ｆで約２〜１０分間圧縮成形にかけ、次いで５０〜７０°Ｆで約２〜７分間冷却する。加うるに中間ボールは、内側カバー層がしばらく金型温度５０〜１００°Ｆにある中間ボール金型の中央に置かれた球心のまわりに直接射出する射出成形で製造されてもよい。続いて外側カバー層を同様な圧縮または射出成形技術により球心および内側層の周りに成形させて直径１．６８０ｉｎまたはそれ以上のディンプル（ｄｉｍｐｌｅ）のついたゴルフボールを形成する。」　
　〈か〉【０００９】「１８５５型ＳｕｒｌｙｎTM（ＳｕｒｌｙｎTM９０２０）は約１４，０００ｐｓｉの曲げ率を持つ亜鉛イオンベース低酸（メタアクリル酸１０ｗｔ％）アイオノマー樹脂である。」  
　〈き〉【００３１】【表１】には、「８９２０」、「８４２２−２」、「８４２２−３」について、曲げ率　Ｋ　ｐｓｉ　５３．２，７６．４，８８．３であることが記載されている。
  〈く〉【００３７】【表３】には、「ＥＳＣＯＲＴＭ（ＩＯＴＥＫ）９５９」及び「ＥＳＣＯＲＴＭ（ＩＯＴＥＫ）９６０」について、曲げ率、ｐｓｉが６６，０００、２７，０００であることが記載されている。　
　〈け〉【００４４】【表４】には、曲げ率（ｐｓｉ）は、「ＡＳＴＭ」のD−７９０であることが示され、該曲げ率（ｐｓｉ）は、品等５９８０，５９９０、５９９０、５９８１，５９８１，５９８３，５９９１について、４８００，２６００，３２００，３２００，３２００，３１００，２６００であることが記載されている。　
　〈こ〉【００６３】【表６】には、曲げ率（ｋｐｓｉ）は「ＡＳＴＭ」のD−７９０であることが示され、該曲げ率（ｋｐｓｉ）は、品等８９４０，９９１０、８９２０、８５２８，９９７０，９７３０について、（５１）３５０，（４８）３３０，（５５）３８０，（３２）２２０，（２８）１９０，（３０）２１０であることが記載されている。　
　〈さ〉「【００７０】更に加えて、発明者により収集された試験データは、Ｉｏｔｅｋ７５２０はショアーＤ硬度約３２〜３６（ＡＳＴＭ  Ｄ−２２４０による）とメルトフローインデックス３±０．５ｇ／１０ｍｉｎ（１９０℃にて、ＡＳＴＭ  Ｄ−１２８８による）と曲げ率約２５００〜３５００ｐｓｉ（ＡＳＴＭ  Ｄ−７９０による）とを持つことが示されている。更に熱分解質量分光測定による独立試験所による試験は、Ｉｏｔｅｋ７５２０樹脂は一般に、エチレンとアクリル酸とアクリル酸メチルとのターポリマーの亜鉛塩であることが示されている。」　
　〈し〉【００６９】【表８】には、Ｉｏｔｅｋ　７５２０の物理的性状について、「曲げ率」はＡＳＴＭ法のD−７９０に従い、その単位は「MPａ」で、典型的値は２６であることが記載されている。　
　〈す〉【００７４】【表９】には、「曲げ率、ｐｓｉ」欄において、ＩＯＴＥＫ７５２０　ＩＯＴＥＫ７５１０について、３８００、５３００であることが記載されている。　
　〈せ〉上記〈あ〉の【請求項１２】に係る「（イ）球形球心」は、上記〈お〉【００８１】「・・在来の固体球心は、典型的には、高いｃｉｓ含有量のポリブタジエンと・・・を含む未硬化または僅かに硬化されたエラストマー組成物のスラッグ（Ｓｌｕｇ）から圧縮成形される」より、「（イ）ポリブタジエンから成る球形球心」であることが把握できる。　
　〈そ〉上記〈あ〉の【請求項１２】に係る「（ロ）・・・前記球形球心上に成形されている内側カバー層」は、上記〈あ〉の【請求項１２】「（ハ）、前記球形中間製品球上に成形され多重層ゴルフボールを形成する外側カバー層」及び上記〈あ〉の【請求項１３】に係る「前記球形球心上に成形されて球形中間製品球を形成する内側カバー層」を参照するに、「（ロ）・・・前記球形球心上に成形されて球形中間製品球を形成する内側カバー層」であることが把握できる。　
　〈た〉上記〈あ〉の【請求項１２】に係る「内側カバー層」は、上記〈あ〉の【請求項３】及び上記〈い〉より、「18.5重量％から21.5重量％のα，β−不飽和カルボン酸のコポリマーを含むアイオノマー樹脂を含み、かつ、15,000psiから70,000psiの弾性率を有するアイオノマー樹脂を含む」ことが把握できる。
　
　以上のことから、上記〈あ〉、特に【請求項１２】及び〈い〉乃至〈た〉の記載からみて、引用例１には、次のような発明が記載されていると認めることができる。
　「（イ）ポリブタジエンから成る球形球心と、　
（ロ）該球形球心上に形成された内側カバー層であって、18.5重量％から21.5重量％のα，β−不飽和カルボン酸のコポリマーを含むアイオノマー樹脂を含み、かつ、15,000psiから70,000psiのモジュラスを有するアイオノマー樹脂を含む前記球形球心上に成形されて球形中間製品球を形成する内側カバー層と、　
（ハ）（ｉ）炭素原子２〜８個を持つオレフィンと炭素原子３〜８個を持つ不飽和モノカルボン酸との共重合体のナトリウム塩または亜鉛塩と、（ｉｉ）炭素原子２〜８個を持つオレフィンとアクリル酸と炭素原子１〜２１個を持つアクリル酸エステル類の不飽和モノマーとのターポリマーのナトリウム塩または亜鉛塩との混合物を包含する、前記球形中間製品球上に成形され多重層ゴルフボールを形成する外側カバー層と、を包含し、その外側カバー層が約１，０００〜３０，０００ｐｓｉの範囲のモジュラスを持つ多重層ゴルフボール。」（以下、「引用発明」という。）　 
　 
　（３−３）対比  
　ａ．引用発明の「球形中間製品球」、「α，β−不飽和カルボン酸」、「混合物」及び「多重層ゴルフボール」は本願補正発明の「球状中間ボール」、「アルファ，ベー タ−不飽和カルボン酸」、「ブレンド」及び「多層ゴルフボール」に相当する。　 
　ｂ．引用発明の「ポリブタジエンから成る球形球心」と本願補正発明の「ポリブタジエンから成る内部球状中心構成要素、および該球状中心構成要素の周囲に配置され、ポリエーテルブロックアミドから成るコア層を備える、中実2重コア構成要素中実2重コア構成要素」とは「ポリブタジエンから成る内部球状中心構成要素を備える、コア構成要素」である点で共通する。　
　ｃ．引用発明の「前記球形球心上に成形されて球形中間製品球を形成する内側カバー層」と本願補正発明の「コア層上に成形されて、球状中間ボールを形成する、内側カバー層」とは「コア構成要素上に成形されて、球状中間ボールを形成する、内側カバー層」である点で共通する。　
　ｄ．本願明細書の１４頁下から１７行乃至１５頁１行における「８９２０」、「８４２２−２」、「８４２２−３」に係る曲げ係数ｋpsiが５３．２，７６．４，８８．３、１６頁乃至１７頁表１乃至２の「曲げ係数　Mpa」、１９頁表３の「ASTM　D-790」「曲げ係数（ｐｓｉ）」、２７頁乃至２８頁表５の「曲げ係数　MPa」及び「（ASTM　D790）」、２９頁８行乃至１３行「本発明の別の実施態様の外側層は、柔軟（低酸性）アイオノマー樹脂と少量の硬い（高酸性）アイオノマー樹脂とのブレンドを含む。外側層ブレンドにおける用途に好適な低弾性率アイオノマーは、約1,000psiから約10,000psiまでの測定値の曲げ係数を有し、ショアーDスケールに関して約20から約40の硬度を伴う。
本明細書中の高弾性率アイオノマーは、ASTM法D-790に従って測定して、約15,000psiから約70,000psiを示すものである。」、３０頁表６の「曲げ係数　MPa」「ASTM法」及び「D−790」、３０頁下から６乃至３行「Iotek 7520樹脂が約32から36（ASTM D-2240による）のショアーD硬度、3±0.5g/10min（190℃において、ASTM D-1288による）のメルトフローインデックス、約2500psiから3500psi（ASTM D-790による）の曲げ係数を有することを示す。」、３１頁乃至３２頁表７の「曲げ係数　ｐｓｉ」、３３頁表８の「ASTM　D」、「Ｄ−７９０」、「曲げ係数　（ｋｐｓｉ）　Ｍｐａ」、４０頁乃至４１頁表１２及び「ASTM試験法」、「曲げ係数　Ｄ７９０」、「単位　ｐｓｉ」に係る記載を参照するに、本願補正発明の「弾性率」とは、「ＡＳＴＭ法Ｄ−７９０に従って測定した曲げ係数」であることが把握できる。
　一方、上記〈う〉及び〈か〉乃至〈す〉、特に、上記〈う〉「【００５７】ここでの高モジュラスイオノマーとはＡＳＴＭ法Ｄ−７９０に従って測定して約１５，０００〜７０，０００ｐｓｉであるものである。・・・・・【００５８】外側層混合物中での使用に適当な低モジュラスイオノマーは・・・、約１，０００〜１０，０００ｐｓｉの曲げ率を持っている。・・・・【００６６】軟（低モジュラス）イオノマーは・・ＡＳＴＭ法Ｄ−７９０に従って測って曲げ率・・・曲げ率約２５００〜３５００ｐｓｉ（ＡＳＴＭ  Ｄ−７９０による）」の記載より、引用発明の「モジュラス」とは「ＡＳＴＭ法Ｄ−７９０に従って測定した曲げ率」の値であることが把握できる。
　してみるに、引用発明の「モジュラス」と本願補正発明の「弾性率」とは「ＡＳＴＭ法Ｄ−７９０に従って測定した値」であることから、引用発明の「モジュラス」が本願補正発明の「弾性率」に相当することは明らかである。　
　ｅ．引用発明の「内側カバー層」と本願補正発明の「内側カバー層」とは「18.5重量％から21.5重量％のアルファ，ベー タ−不飽和カルボン酸のコポリマーを含むアイオノマー樹脂を含み、かつ、15,000psiから70,000psiの弾性率を有するアイオノマー樹脂を含む」点で共通する。
　ｆ．引用発明の「外側カバー層」と本願補正発明の「外側カバー層」とは「i)2個から8個の炭素原子を有するオレフィン及び3個から8個の炭素原子を有する不飽和モノカルボン酸のコポリマーのナトリウム塩または亜鉛塩と、ii)2個から8個の炭素原子を有するオレフィン、アクリル酸、および1個から21個の炭素原子を有するアクリレートエステル類の不飽和モノマーのターポリマーのナトリウム塩または亜鉛塩とのブレンドを含み、該外側カバー層は、1,000psiから30,000psiの範囲の弾性率を有する」点で共通する。
　
　してみれば、本願補正発明と引用発明とは、　 
 「ポリブタジエンから成る内部球状中心構成要素を備える、コア構成要素と、　
　該コア構成要素上に成形されて、球状中間ボールを形成する、内側カバー層であって、18.5重量％から21.5重量％のアルファ，ベー タ−不飽和カルボン酸のコポリマーを含むアイオノマー樹脂を含み、かつ、15,000psiから70,000psiの弾性率を有するアイオノマー樹脂を含む内側カバー層と、　
　該球状中間ボール上に成形されて、多層ゴルフボールを形成する、外側カバー層であって、該外側カバー層は、i)2個から8個の炭素原子を有するオレフィン及び3個から8個の炭素原子を有する不飽和モノカルボン酸のコポリマーのナトリウム塩または亜鉛塩と、ii)2個から8個の炭素原子を有するオレフィン、アクリル酸、および1個から21個の炭素原子を有するアクリレートエステル類の不飽和モノマーのターポリマーのナトリウム塩または亜鉛塩とのブレンドを含み、該外側カバー層は、1,000psiから30,000psiの範囲の弾性率を有する外側カバー層とを備える、多層ゴルフボール。」　 
　である点で一致し、以下の点で相違する。　 
　〈相違点１〉本願補正発明ではコア構成要素が「ポリブタジエンから成る内部球状中心構成要素、および該球状中心構成要素の周囲に配置され、ポリエーテルブロックアミドから成るコア層を備える、中実2重コア構成要素」と特定されているのに対し、引用発明ではそのような特定がなされていない点。　
　〈相違点２〉本願補正発明では内側カバー層が「ショアD硬度が６５以上」と、また外側カバー層が「ショアD硬度が５５以下」とそれぞれ特定されているのに対し、引用発明ではそのような特定がなされていない点。
　
　（３−４）判断　　  
　〈相違点１〉について　
　上記〈お〉、特に【００８５】には、コア（球心）が固体形成球心でも糸巻き球心でもよい点について記載されており、かかる記載からは、コアの構造は種々の態様を取り得る点が示唆されているものといえる。
　そして、中実2重コア構成要素と、内側カバー層と、外側カバー層とを備える、多層ゴルフボールは、本願のパリ条約による第一優先権主張外国庁受理日前に頒布された刊行物であって、原査定の拒絶の理由に引用された特開平８−３３６６１７号公報、特に請求項１，【００１１】及び図２、本願のパリ条約による第一優先権主張外国庁受理日前に頒布された刊行物である特開平８−３３６６１８号公報、特に請求項１，【００１０】及び図１並びに本願のパリ条約による第一優先権主張外国庁受理日前に頒布された刊行物である特開平８−３３２２４６号公報（請求項１，【００１９】及び図１に記載の如く、周知の技術事項であり、
　加えてポリブタジエンから成る球状中心構成要素（１）の周囲に配置され、ポリエーテルブロックアミドから成る中間層（２）を備えるゴルフボールは、本願のパリ条約による第一優先権主張外国庁受理日前に頒布された刊行物である特開平４−２４４１７４号公報、特に、請求項５、請求項７、【００１０】及び【００１８】に記載の如く、周知の技術事項である。
　してみれば、引用発明において、上記〈お〉及び上記周知の技術事項より、コア構成要素を中実2重コア構成要素となすとともに、該中実2重コア構成要素がポリブタジエンから成る内部球状中心構成要素、および該球状中心構成要素の周囲に配置され、ポリエーテルブロックアミドから成るコア層を備える構成となすことは、当業者が容易に想到できたものである。  
　
　したがって、相違点１に係る本願補正発明の特定事項は、引用発明及び周知の技術事項に基づいて当業者が容易に想到できたものである。　 
　
　〈相違点２〉について
　ポリブタジエンから成る内部球状中心構成要素、該球状中心構成要素の周囲に配置され、糸ゴムを巻き付けたコア層を備え、中実2重コア構成要素と該2重コア構成要素の該コア層上ショアD硬度が６０以上である内側カバー層と、ショアD硬度が４３〜５３の外側カバー層とを備える多重ゴルフボールは、本願のパリ条約による第一優先権主張外国庁受理日前に頒布された刊行物である特開平８−３３２２４６号公報、特に【００１８】乃至【００１９】、【００３２】及び図１記載の如く、周知の技術事項であり、
　ポリブタジエンから成るコアとカバー層からなるゴルフボールにおいて、該カバー層が18.5重量％から21.5重量％のアルファ，ベー タ−不飽和カルボン酸のコポリマーを含むアイオノマー樹脂を含み、そのショアD硬度が６５以上であるカバー層は、本願のパリ条約による第一優先権主張外国庁受理日前に頒布された刊行物である特開平６−３１２０３２号公報、特に請求項１乃至請求項５に記載の如く、周知の技術事項である。　
　してみれば、引用発明において、上記〈え〉及び上記周知の技術事項より、ショアD硬度が６５以上である内側カバー層と、ショアD硬度が５５以下の外側カバー層とを備える構成となすことは、当業者が容易に想到できたものである。  
　
　したがって、相違点２に係る本願補正発明の特定事項は、引用発明及び周知の技術事項に基づいて、当業者が容易に想到できたものである。
　
　〈まとめ〉　 
　このように、相違点１乃至相違点２に係る本願補正発明の発明特定事項は、引用発明及び周知の技術事項に基づいて、当業者が想到容易な事項であり、これらの発明特定事項を採用したことによる本願補正発明の効果も当業者が容易に予測し得る程度のものである。　 
 　 
　以上のとおり、本願補正発明は、引用発明及び周知の技術事項に基づいて、当業者が容易に発明をすることができたものであるから、特許法第２９条第２項の規定により特許出願の際独立して特許を受けることができないものである。　  
 　  
 ４．本件補正についてのむすび　 
　前記「第２　３．」に記載のとおり、本件補正は、平成１８年改正前特許法第１７条の２第５項において準用する同法第１２６条第５項の規定に違反するものであるから、同法第１５９条第１項の規定において読み替えて準用する同法第５３条第１項の規定により却下されるべきものである。 
　
 第３　本願発明について 
 １．本願発明の認定 
　平成２０年４月２２日付け明細書についての手続補正は上記のとおり却下されたので、本願の請求項２に係る発明は、平成１９年１１月１３日付けで補正された特許請求の範囲２．に記載された事項によって特定される次のとおりのものと認める。　
　「内部球状中心構成要素、および該球状中心構成要素の周囲に配置されるコア層を備える、中実2重コア構成要素と、
　該2重コア構成要素の該コア層上に成形されて、球状中間ボールを形成する、内側カバー層であって、18.5重量％から21.5重量％のアルファ，ベー タ−不飽和カルボン酸のコポリマーを含むアイオノマー樹脂を含み、かつ、15,000psi（103.425MPa）から70,000psi(482.650MPa)の弾性率を有するアイオノマー樹脂を含む内側カバー層と、
　該球状中間ボール上に成形されて、多層ゴルフボールを形成する、外側カバー層であって、
該外側層
　前記記載中における「
該外側層
該外側カバー層
　　
 ２．引用例 
　本願のパリ条約による第一優先権主張外国庁受理日前に頒布された刊行物であって、原査定の拒絶の理由に引用された引用例１及びその記載事項は、前記「第２　３．（３−２）」に記載のとおりである。 
 　 
 ３．対比・判断 
 　本願発明は、前記「第２　３．」で検討した本願補正発明から内部球状中心構成要素に係る「ポリブタジエンから成る」、コア層に係る「ポリエーテルブロックアミドから成る」、内側カバー層に係る「ショアD硬度が６５以上である」及び外側カバー層に係る「ショアD硬度が５５以下の」との限定を省いたものに相当する。 
　そうすると、本願発明の構成要件をすべて含み、さらに他の要件を付加したものに相当する本願補正発明が、前記「第２　３．（３−４）」に記載したとおり、引用発明及び周知の技術事項に基づいて当業者が容易に発明をすることができたものであるから、本願発明も同様の理由により、当業者が容易に発明をすることができたものである。　 
 　 
 第４　むすび 
　以上のとおり、本願発明は、引用発明及び周知の技術事項に基づいて、当業者が容易に発明をすることができたものであるから、特許法第２９条第２項の規定により特許を受けることができない。
　したがって、本願出願のその余の請求項に係る発明について検討するまでもなく、本願は拒絶を免れない。 
　よって、結論のとおり審決する。